(57)【特許請求の範囲】
【請求項１】
開花処理した親株の樹勢が良く、繊維が張っておらず、枝先を手で切るとポキッと折れる状態において採穂し、出蕾状態で直接仕上げポットに挿し穂することを特徴とする菊のわい化仕立て栽培法。
【請求項２】
単一の仕上げポットに、予め想定した商品ボリュームに合わせた本数を挿し穂することを特徴とする請求項１に記載の菊のわい化仕立て栽培法。
【請求項３】
わい化処理のためのわい化剤などの薬品を使用しないことを特徴とする請求項１または請求項２に記載の菊のわい化仕立て栽培法。
【請求項４】
前記の親株を、化学肥料を使用しないで、有機栽培で育成することを特徴とする請求項１、請求項２または請求項３に記載の菊のわい化仕立て栽培法。
【請求項５】
請求項１に記載の菊のわい化仕立て栽培法を使用し、出蕾状態で直接仕上げポットに挿し穂して発根させてなることを特徴とするわい化仕立て菊。
【発明の詳細な説明】
【０００１】
【産業上の利用分野】
本発明は、花きのわい化仕立て栽培法に関する。さらに詳しくは、摘心およびわい化剤を用いない、新規なミニポットわい化仕立ての花き栽培技術に関する。
【０００２】
【従来の技術】
図１は、従来の花き、例えば菊のわい化栽培法を工程順に例示する図である。まず、（１）のように親株を育ててから、（２）のように採穂して、（３）のように砂地などの挿し芽床１に挿し芽する。
【０００３】
次いで、１５日程度経過して発根してから、（４）のように仕上げポット２に植えなおす。そして、１０日程度経過して新芽が伸び出したら、（５）のように摘心して側枝を出させる。そして４〜５日目に、（６）のように第１回目のわい化剤散布を行う。次いで、約２０日後に、（７）のように第２回目のわい化剤散布を行う。さらに、約２０日経って出蕾した頃に、（８）のように、必要に応じて第３回目のわい化剤散布を行う。そして、最終的に樹整を整え、開花コントロールして、（９）のように商品として仕上げる。
【０００４】
【発明が解決しようとする課題】
このように、これまでのわい化仕立ては、摘心とわい化剤散布を行ない、開花処理した後、出荷を行っていた。ところが、この方法では、ポット上げ後に開花コントロールを行うため、摘心とわい化剤を繰り返し使用して、目的とする商品ボリュームに合わせた仕立てを行う必要がある。
【０００５】
したがって、菊などの花きのわい化仕立ては、長年の経験と技能に左右されるという問題があった。
【０００６】
ホルモン剤を用いて強制的にわい化するため、下葉が大きくなるなど、樹勢が不自然で全体的にアンバランスな製品となり、十分な商品価値が得られない。
【０００７】
また、採穂・挿し芽、仕上げポットへの植えなおし、摘心、数回のわい化剤散布といったように、作業工程が多く、負担が大きい。
【０００８】
しかも、図１（３）の挿し芽から出荷まので日数が９０〜１００日もかかり、生産性が悪い。
【０００９】
さらに、従来の方法では、環境ホルモンの誘発が懸念されるわい化剤を使用する事が不可欠であるが、現在の地球環境に配慮した農業の方向性に逆行している。
【００１０】
本発明の技術的課題は、このような問題に着目し、長年の経験や技能に左右されず、しかもわい化剤を使用せずに、かつバランスの良い自然な製品を短期間に出荷可能とすることにある。
【００１１】
【課題を解決するための手段】
本発明の技術的課題は次のような手段によって解決される。請求項１は、開花処理した親株の樹勢が良く、繊維が張っておらず、枝先を手で切るとポキッと折れる状態において採穂し、出蕾状態で直接仕上げポットに挿し穂することを特徴とする花きのわい化仕立て栽培法である。
【００１２】
このように、開花処理した親株の樹勢が良く、繊維が張っておらず、枝先を手で切るとポキッと折れる状態において採穂し、出蕾状態で直接仕上げポットに挿し穂する方法によると、親株の状態で開花処理して、出蕾の状態で採穂し、仕上げポットに挿し穂するため、発根から開花と、短期間で出荷でき、生産性が良い。しかも、親株の樹勢の状態を見極めること以外は、特別の技能を必要とせず、素人でも容易に栽培できる。また、従来のわい化処理法のような多数の工程が必要なく、作業の負担が軽い。
【００１３】
請求項２は、単一の仕上げポットに、予め想定した商品ボリュームに合わせた本数を挿し穂することを特徴とする請求項１に記載の花きのわい化仕立て栽培法である。
【００１４】
このように、単一の仕上げポットに、予め想定した商品ボリュームに合わせた本数を、出蕾の状態で直接挿し穂するため、熟練者でなくても、摘心無しで短期間に好みのボリューム感を出して出荷できる。
【００１５】
請求項３は、わい化処理のためのわい化剤などの薬品を使用しないことを特徴とする請求項１または請求項２に記載の花きのわい化仕立て栽培法である。
【００１６】
前記のように、出蕾の状態で採穂して、仕上げポットに挿し穂するため、花芽分化を起こしてから挿し穂することになり、草丈が伸びない。したがって、請求項３のように、わい化のためのホルモン剤で処理しなくても、ミニ化が可能となる。
【００１７】
ホルモン剤わい化処理は、強制的に行なうため、下葉が大きくなるなど、樹勢が自然でないが、本発明の手法だと、全体的にバランスの取れた自然なミニ化が可能である。しかも、地球環境に悪影響を及ぼすわい化剤などの化学薬品を使用しないで済む。
【００１８】
請求項４は、請求項１、請求項２または請求項３に記載の親株を、化学肥料を使用しないで、有機栽培で育成することを特徴とする花きのわい化仕立て栽培法である。
【００１９】
親株を化学肥料で育成すると、出蕾時には枝先まで繊維が張る可能性が高くなるので、挿し穂しても発根が揃い辛く、確実に根づかせるのが難しい。ところが、請求項４のように、有機栽培で親株を育成すると、樹勢のある母樹を作ることが容易であり、化学肥料栽培と比べて、繊維が張らず柔らかく、しかも日持ちの長い親株を容易に実現できる。その結果、出蕾状態で直接仕上げポットに挿し穂しても、簡単に萎れたりせず、確実に根づかせることができる。
【００２０】
請求項５は、請求項１に記載の菊のわい化仕立て栽培法を使用し、出蕾状態で直接仕上げポットに挿し穂して発根させてなることを特徴とするわい化仕立て菊である。
【００２１】
このように、請求項１に記載の菊のわい化仕立て栽培法を使用し、出蕾状態で直接仕上げポットに挿し穂して発根させてなる菊は、出蕾状態の枝を挿し穂するときに、蕾の状態で、予め想定した商品ボリュームに応じた本数を、直接仕上げポットに挿し穂するので、従来のような摘心処理して育成した製品と違って、人工的に好みの商品ボリュームを出せる。
このように、本発明方法で開花処理し、花芽分化を起こしてから、採穂して挿し穂するため、その後、開花して商品となるまでの間に草丈が伸びない。したがって、従来のようにわい化剤を散布して強制的にわい化処理したのと比べ、バランスの取れた、より自然なポット仕上げができ、しかも下葉が大きくなるなどの不自然さが無く、商品価値が高くなる。
【００２２】
【発明の実施の形態】
次に本発明による花きのわい化仕立て栽培法が実際上どのように具体化されるか実施形態を説明する。図２は本発明による花きのわい化仕立て栽培法を菊を例にして工程順に示す図である。
【００２３】
まず、採穂畑で、（１）のように親株を育成する。そして、（２）のように親株の状態で開花コントロールして開花処理し、出蕾させる。このように、開花処理から約２０〜４０日経過すると、米粒大の蕾３が出て来るので、この時点で（３）のように採穂する。そして、このような出蕾状態のままで、直接仕上げポット２に挿し穂する。
【００２４】
従来の常識では、花芽分化が起こって蕾が付きはじめると、植物は花を付けることにエネルギーを費やし、生長を止めるので、花芽以外の細胞が不活性化し老化する。そのため、挿木の出来る植物でも、蕾状態での挿木は発根が揃わない。
【００２５】
そのため、出蕾状態で採穂して挿し穂することは従来の常識では考えられなかった。しかしながら、本発明らは、出蕾状態であっても、ある短期間ではあるが、良好な挿し穂が可能な時機があることを究明した。
【００２６】
すなわち、蕾状態の草花でも、樹勢が良く、繊維の張っていない時機であれば、枝先を手で切るとポキッと折れる。この時機に、採穂して、挿し穂すると、発根が揃い、良好に根づく。また、同じ親株であっても、細胞が不活性化して、繊維が張っているために、ポキッと折れない箇所もあるので、このような部分を採穂しても発根が揃わない。したがって、発根が揃うかどうかの分岐点を見極めることが必要である。
【００２７】
実施例の菊の場合だと、花芽分化が起こって約２０日以上経つと幹が硬くなり、繊維が出て来て切り辛くなる。このような状態では、挿し穂をしても発根が揃わない。しかしながら、ほぼ２０日までだと、出蕾状態であっても、繊維が出ず、したがって良好に挿し穂でき、発根が揃う。
【００２８】
結局、若くて樹勢のある母樹でないと、枝先まで繊維が張り易く、採穂し難い。そのため、樹勢のある母樹を作ることが不可欠となる。しかしながら、化学肥料で育った株は硬化が起こり易く、樹勢のある母樹はなかなか安定的に作り難い。
【００２９】
ところが、有機栽培（ＥＭ農法）だと、繊維が張り難く柔らかい、樹勢のある親株を作ることが容易である。その結果、日持ちも長いので、挿し穂しても萎れたりせず、確実に根づき、発根が揃いやすい。したがって、有機栽培が必要である。
【００３０】
また、古い親株は老化が起き易いので、親株を更新し、樹勢のある新たな親株を育てることが必要である。
【００３１】
前記（２）のような出蕾状態の枝を挿し穂するときに、（４）のように、蕾の状態で、予め想定した商品ボリュームに応じた本数を、直接仕上げポットに挿し穂する。したがって、従来のような摘心処理は不必要であり、素人でも容易に人工的に好みの商品ボリュームを出せる。
【００３２】
さらに、２５〜４２日経過すると、（５）のように、わい化状態と同様のミニポットの開花商品が出来上がる。（２）の開花処理の開始から計算すると、６２〜６５日で出荷できることになる。
【００３３】
このように、開花処理し、花芽分化を起こしてから、採穂して挿し穂するため、その後、開花して商品となるまでの間に草丈が伸びない。それでいて、発根が揃い、良好に根づくことができる。したがって、従来のようにわい化剤を散布して強制的にわい化処理したのと比べ、バランスの取れた、より自然なポット仕上げができ、商品価値が高くなる。
【００３４】
以上のようにして、菊などのわい化仕立て栽培手法を確立できた。この方法を採用することにより、従来の栽培方法に比べると、開花に至るまでの栽培期間を約３５％短縮できた。品種によっては５０％まで短縮可能である。
【００３５】
また、各処理や管理などが、長年の経験と技能に左右されることはなく、素人でも容易に、顧客のニーズに合わせた柔軟な商品化を実現できる。さらに、この方法は、わい化剤などの薬品を使用しないので、地球環境を考慮した園芸を実現できる。このように、化学物質を使用しない栽培方法であるため、ＪＡＳ規格にも準拠することが可能となる。
【００３６】
本発明の栽培方法によると、２寸ポット、２．５寸ポットサイズの超ミニ化も可能になった。さらに、採穂畑での親株の育成に際して、短日で花芽分化する性質を利用し、電照またはシェードを採用すると、より良い効果をあげられる。
【００３７】
【発明の効果】
請求項１のように、開花処理した親株の樹勢が良く、繊維が張っておらず、枝先を手で切るとポキッと折れる状態において採穂し、出蕾状態で直接仕上げポットに挿し穂する方法によると、親株の状態で開花処理して、出蕾の状態で採穂し、仕上げポットに挿し穂するため、発根から開花と、短期間で出荷でき、生産性が良い。
【００３８】
しかも、親株の樹勢の状態を見極めること以外は、特別の技能を必要とせず、素人でも容易に栽培できる。また、従来のわい化処理法のような多数の工程が必要なく、作業の負担が軽い。
【００３９】
請求項２のように、単一の仕上げポットに、予め想定した商品ボリュームに合わせた本数を、出蕾の状態で直接挿し穂するため、熟練者でなくても、摘心無しで短期間に、好みのボリューム感を出して出荷できる。
【００４０】
請求項１のように、出蕾の状態で採穂して、仕上げポットに挿し穂するため、花芽分化を起こしてから挿し穂することになり、草丈が伸びない。したがって、請求項３のように、わい化のためのホルモン剤で処理しなくても、ミニ化が可能となる。
【００４１】
ホルモン剤わい化処理は、強制的に行なうため、下葉が大きくなるなど、樹勢が自然でないが、本発明の手法だと、全体的にバランスの取れた自然なミニ化が可能である。しかも、地球環境に悪影響を及ぼすわい化剤などの化学薬品を使用しないで済む。
【００４２】
親株を化学肥料で育成すると、出蕾時には枝先まで繊維が張る可能性が高くなるので、挿し穂しても発根が揃い辛く、確実に根づかせるのが難しい。ところが、請求項４のように、有機栽培で親株を育成すると、樹勢のある母樹を作ることが容易であり、化学肥料栽培と比べて、繊維が張らず柔らかく、しかも日持ちの長い親株を容易に実現できる。その結果、出蕾状態で直接仕上げポットに挿し穂しても、簡単に萎れたりせず、確実に根づかせることができる。
【００４３】
請求項５のように、請求項１記載の菊のわい化仕立て栽培法を使用し、出蕾状態で直接仕上げポットに挿し穂して発根させてなる菊は、出蕾状態の枝を挿し穂するときに、蕾の状態で、予め想定した商品ボリュームに応じた本数を、直接仕上げポットに挿し穂するので、従来のような摘心処理して育成した製品と違って、人工的に好みの商品ボリュームを出せる。
このように、本発明方法で開花処理し、花芽分化を起こしてから、採穂して挿し穂するため、その後、開花して商品となるまでの間に草丈が伸びない。したがって、従来のようにわい化剤を散布して強制的にわい化処理したのと比べ、バランスの取れた、より自然なポット仕上げができ、しかも下葉が大きくなるなどの不自然さが無く、商品価値が高くなる。
【図面の簡単な説明】
【図１】従来の花き、例えば菊のわい化栽培法を工程順に例示する図である。
【図２】本発明による花きのわい化仕立て栽培法を工程順に例示する図である。
【符号の説明】
１  挿し芽床
２  仕上げポット
３  蕾
４  花
【図１】
0003615725.tif 000002
【図２】
0003615725.tif 000003